(57)【特許請求の範囲】
【請求項１】
長手方向に沿って溝部が形成された野縁部材に保持具本体を接続すると共に、前記保持具本体に天井より吊下げられた吊下げ部材を接続して、前記保持具本体を介して前記野縁部材を前記天井より吊下げ可能にする野縁保持具において、前記保持具本体は直交する一方の幅が、直交する他方の幅よりも長い平面がほぼ矩形な板状であって、前記一方の幅の両端部にそれぞれ設けられる前記保持具本体の第１の縁部の長手方向に沿って第１の野縁取付部が設けられると共に、この第１の野縁取付部は第１の前記溝部が広い第１の野縁部材に係止可能であり、前記他方の幅の両端部にそれぞれ設けられる前記保持具本体の第２の縁部の長手方向に沿って第２の野縁取付部が設けられると共に、この第２の野縁取付部は第２の前記溝部が狭い第２の野縁部材に係止可能に設けられることを特徴とする野縁保持具。
【請求項２】
前記第１の野縁取付部は、前記第１の縁部より略平行に立ち上げられ前記第１の溝部に挿入可能な一対の第１の立ち上げ部と、前記第１の立ち上げ部の先端を外側に折り曲げて前記第１の溝部両側の第１の野縁縁部の内面に前記第１の野縁部材の長手方向に沿って係合可能にそれぞれ設けられて前記第１の野縁部材を前記第１の溝部に沿ってスライド自在に保持する第１の係止部とを備え、前記第２の野縁取付部は、前記第２の縁部より略平行に立ち上げられ前記第２の溝部に挿入可能な一対の第２の立ち上げ部と、前記第２の立ち上げ部の先端を外側に折り曲げて前記第２の溝部両側の第２の野縁縁部の内面に前記第２の野縁部材の長手方向に沿って係合可能にそれぞれ設けられて前記第２の野縁部材を前記第２の溝部に沿ってスライド自在に保持する第２の係止部とを備えることを特徴とする請求項１記載の野縁保持具。
【請求項３】
前記保持具本体に前記吊下げ部材の下端が接続可能な接続手段が設けられていることを特徴とする請求項１又は２記載の野縁保持具。
【請求項４】
前記接続手段は前記保持具本体の下面側に設けられていることを特徴とする請求項３記載の野縁保持具。
【発明の詳細な説明】
【技術分野】
【０００１】
本発明は、天井工事において天井材を設ける下地に使用される野縁部材を保持する野縁保持具に関するものである。
【背景技術】
【０００２】
従来、この種のものとして保持具本体に、保持具本体と野縁部材の溝部とを係合可能にする野縁取付部と、保持具本体とその吊下げ部材とを接続可能にする天井接続手段とを備え、野縁取付部は、矩形の板体からなる保持具本体の対向する一対の両端部より略平行に設けられ、野縁部材の溝部に挿入可能な一対の第１の立ち上げ部と、第１の立ち上げ部の先端を外側に折り曲げて、野縁部材の溝部の両側縁部の内面に野縁部材の長手方向に沿って係合可能に設けられ、野縁部材を野縁部材の溝部に沿ってスライド自在に保持する第１の係止部とを備え、さらに保持具本体における幅方向における第１の係止部の内側に、該第１の係止部と同様な第２の係止部を設けたものが知られている。
【０００３】
そして、幅が広い野縁部材には第１の係止部を利用して保持具を取り付け、逆に幅が狭い野縁部材には第２の係止部を利用して保持具を取り付けることができるようになっている。
【先行技術文献】
【特許文献】
【０００４】
【特許文献１】特開２０１１−２６７７４号公報
【発明の概要】
【発明が解決しようとする課題】
【０００５】
前記従来技術においては、幅の広い野縁部材、幅の狭い野縁部材のいずれにも保持具を取り付けることができるものの、例えば第２の係止部を利用して幅が狭い野縁部材に取り付けた場合には、第１の係止部側が突出してしまい、第２の係止部の外側に余分のスペースを必要とし、省スペース化を図ることができない。
【０００６】
解決しようとする問題点は、幅が広い野縁部材のみならず幅が狭い野縁部材にも取り付けが可能な野縁保持具において、取付状態において野縁保持具の周囲に無駄なスペースを要せずに省スペース化を図る点である。
【課題を解決するための手段】
【０００７】
請求項１の発明の野縁保持具は、長手方向に沿って溝部が形成された野縁部材に保持具本体を接続すると共に、前記保持具本体に天井より吊下げられた吊下げ部材を接続して、前記保持具本体を介して前記野縁部材を前記天井より吊下げ可能にする野縁保持具において、前記保持具本体は直交する一方の幅が、直交する他方の幅よりも長い平面がほぼ矩形な板状であって、前記一方の幅の両端部にそれぞれ設けられる前記保持具本体の第１の縁部の長手方向に沿って第１の野縁取付部が設けられると共に、この第１の野縁取付部は第１の前記溝部が広い第１の野縁部材に係止可能であり、前記他方の幅の両端部にそれぞれ設けられる前記保持具本体の第２の縁部の長手方向に沿って第２の野縁取付部が設けられると共に、この第２の野縁取付部は第２の前記溝部が狭い第２の野縁部材に係止可能に設けられることを特徴とする。
【０００８】
請求項２の発明の野縁保持具は、請求項１において、前記第１の野縁取付部は、前記第１の縁部より略平行に立ち上げられ前記第１の溝部に挿入可能な一対の第１の立ち上げ部と、前記第１の立ち上げ部の先端を外側に折り曲げて前記第１の溝部両側の第１の野縁縁部の内面に前記第１の野縁部材の長手方向に沿って係合可能にそれぞれ設けられて前記第１の野縁部材を前記第１の溝部に沿ってスライド自在に保持する第１の係止部とを備え、前記第２の野縁取付部は、前記第２の縁部より略平行に立ち上げられ前記第２の溝部に挿入可能な一対の第２の立ち上げ部と、前記第２の立ち上げ部の先端を外側に折り曲げて前記第２の溝部両側の第２の野縁縁部の内面に前記第２の野縁部材の長手方向に沿って係合可能にそれぞれ設けられて前記第２の野縁部材を前記第２の溝部に沿ってスライド自在に保持する第２の係止部とを備えることを特徴とする。
【０００９】
請求項３の発明の野縁保持具は、請求項１又は２において、前記保持具本体の中央に前記吊下げ部材の下端が接続可能な接続手段が設けられていることを特徴とする。
【００１０】
請求項４の発明の野縁保持具は、請求項３において、前記接続手段は前記保持具本体の下面側に設けられていることを特徴とする。
【発明の効果】
【００１１】
請求項１の発明によれば、幅の異なる野縁部材を選択的に取付できると共に、野縁部材の外側に野縁保持具がはみ出るようなことはなく、省スペース化を図ることができる。
【００１２】
請求項２の発明によれば、係止部と野縁縁部の接触部分にガタが生じる恐れを防止して、野縁保持具と野縁部材との係合状態を安定化させることができる。
【００１３】
請求項３の発明によれば、接続手段によって吊下げ部材を簡単に接続することができる。
【００１４】
請求項４の発明によれば、保持具本体の上面側を自由に使用することができる。
【図面の簡単な説明】
【００１５】
【図１】本発明の実施例１を示す斜視図である。
【図２】同第１の野縁部材に取り付けた状態の一部切り欠き斜視図である。
【図３】同第２の野縁部材に取り付けた状態の一部切り欠き斜視図である。
【図４】本発明の実施例２を示す一部切り欠き斜視図である。
【図５】本発明の実施例３を示す斜視図である。
【図６】同第１の野縁部材に取り付けた状態の一部切り欠き斜視図である。
【図７】同第２の野縁部材に取り付けた状態の一部切り欠き斜視図である。
【図８】同他の使用状態の斜視図である。
【図９】本発明の実施例４を示す一部切り欠き斜視図である。
【発明を実施するための形態】
【００１６】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１７】
図１〜３は実施例１を示しており、本実施例の野縁保持具１は、長手方向に沿って第１の溝部２が形成された断面略倒Ｃ形状の形鋼からなる第１の野縁部材３又は同じく第２の溝部４が形成された第２の野縁部材５と、天井６より垂設されて吊下げられた吊下げ部材としての吊下げボルト７とを接続可能に構成するものである。そして第１の野縁部材３、第２の野縁部材５の下面には天井材８が取り付けられるものであり、天井材８の種類や天井６の下地強度などに応じて第１の溝部２の第１の幅Ｈ１が広い第１の野縁部材３、第２の溝部４の第２の幅Ｈ２が狭い第２の野縁部材５が適宜使用されるようになっている。
【００１８】
野縁保持具１は、平面がほぼ矩形状に形成されたステンレス鋼、アルミニウム等の金属製の薄板からなる保持具本体９は、直交する一方の幅Ｗ１の長さが、直交する他方の幅Ｗ２の長さよりも長く形成されている（Ｗ１＞Ｗ２）。一方の幅Ｗ１は第１の幅Ｈ１よりわずかに小さく、また他方の幅Ｗ２は第２の幅Ｈ２よりわずかに小さく形成されている。そして、一方の幅Ｗ１の両端部にそれぞれ設けられる保持具本体９の第１の縁部10の長手方向に沿って第１の野縁取付部11が設けられる。この第１の野縁取付部11は、第１の野縁部材３の第１の溝部２の幅方向両側に設けられ断面略逆Ｊ型に形成された第１の野縁縁部12と係合可能に設けられている。他方の幅Ｗ２の両端部にそれぞれ設けられる保持具本体９の後述する第２の縁部の長手方向に沿って第２の野縁取付部13が設けられる。第２の野縁取付部13は、第２の野縁部材５の第２の溝部４の幅方向両側に設けられ断面略逆Ｊ型に形成された第２の野縁縁部14と係合可能に設けられている。
【００１９】
第１の野縁取付部11は、保持具本体９の対向する第１の縁部10より略平行に下向きとなって立ち上げられ、すなわち第１の縁部10より下方に突設して第１の野縁部材３の第１の溝部２に挿入可能な一対の第１の立ち上げ部15と、それぞれの第１の立ち上げ部15の先端を互いの距離が離れるよう外側に折り曲げて断面略Ｊ型に形成し、第１の溝部２の両側の第１の野縁縁部12の内面に長手方向（図中、Ｘ方向）に沿って係合可能に設けられ、第１の野縁部材３を第１の溝部２に沿ってスライド自在に保持する第１の係止部16が設けられている。
【００２０】
同様に、第２の野縁取付部13は、保持具本体９の対向する第２の縁部17より略平行に下向きとなって立ち上げられ、すなわち第２の縁部17より下方に突設して第２の野縁部材５の第２の溝部４に挿入可能な一対の第２の立ち上げ部18と、それぞれの第２の立ち上げ部18の先端を互いの距離が離れるよう外側に折り曲げて断面略Ｊ型に形成し、第２の溝部４の両側の第２の野縁縁部14の内面に長手方向（図中、Ｙ方向）に沿って係合可能に設けられ、第２の野縁部材５を第２の溝部４に沿ってスライド自在に保持する第２の係止部19が設けられている。
【００２１】
保持具本体９の略中央部分には、保持具本体９の上面と下面とを連通する本体側貫通部20を備えるとともに、吊下げボルト７に螺着可能な雌ねじ部材としてのナット21を本体側貫通部20と連通させた状態で保持具本体９に固定して天井接続手段22を構成している。このナット21は保持具本体９の上面に固着されており、本体側貫通部20の上方にナット21の貫通孔が連通するように設けられている。そして、吊下げボルト７とナット21を螺着することで、保持具本体９を天井６に吊下げ可能に構成している。
【００２２】
さらに、平面がほぼ矩形の保持具本体９にあっては、その四隅の直角の角部は切り欠き部23が形成されている。
【００２３】
次に、上記構成についてその作用を説明する。野縁保持具１の第１の立ち上げ部15を第１の野縁部材３の第１の溝部２に挿入して、第１の係止部16を第１の野縁縁部12の内面に第１の野縁部材３の長手方向（図中、Ｘ方向）に沿って係合させて、第１の野縁部材３を第１の野縁側溝部２に沿ってスライド自在に保持する。そして、このように組み立てられた第１の野縁部材３の下面部には天井６パネルなどの天井材８が取り付けられる。
【００２４】
第２の幅Ｈ２が狭い第２の野縁部材５を利用するときも、同様に、野縁保持具１の第２の立ち上げ部18を第２の野縁部材５の第２の溝部４に挿入して、第２の係止部19を第２の野縁縁部14の内面に第２の野縁部材５の長手方向（図中、Ｙ方向）に沿って係合させて、第２の野縁部材５を第２の野縁側溝部２に沿ってスライド自在に保持する。そして、このように組み立てられた第２の野縁部材５の下面部には天井６パネルなどの天井材８が取り付けられる。
【００２５】
次に、前述の通りに組み立てられた野縁保持具１は、ナット21を天井６から垂設された吊下げボルト７に装着することによって天井６に接続される。
【００２６】
以上のように本実施例は、一方の幅Ｗ１の両端部にそれぞれ設けられる保持具本体９の第１の縁部10の長手方向に沿って第１の野縁取付部11が設けられると共に、この第１の野縁取付部11は第１の溝部２が広い第１の野縁部材３に係止可能であり、他方の幅Ｗ２の両端部にそれぞれ設けられる保持具本体９の第２の縁部17の長手方向に沿って第２の野縁取付部14が設けられると共に、この第２の野縁取付部14は第２の溝部４が狭い第２の野縁部材５に係止可能に設けられることによって、保持具本体９を第１の野縁取付部11を介して第１の野縁部材３に取り付けでき、保持具本体９を第２の野縁取付部14を介して幅の狭い第２の野縁部材５に取り付けでき、一個の野縁保持具１で第１の野縁部材３、第２の野縁部材５のいずれをも取り付けることができる。さらに、保持具本体９を第２の野縁部材５に取り付けた場合、第２の野縁部材５の外側に野縁保持具１がはみ出るようなことはなく、省スペース化を図ることができる。
【００２７】
また、本実施例では、第１の野縁取付部11は、矩形の板体からなる保持具本体９の対向する一対の第１の縁部10より略平行に立ち上げられ、第１の野縁部材３の第１の溝部２に挿入可能な一対の第１の立ち上げ部15と、第１の立ち上げ部15の先端を外側に折り曲げて、第１の野縁部材３の第１の溝部２の両側縁部としての第１の野縁縁部12の内面に第１の野縁部材３の長手方向（図中、Ｘ方向）に沿って係合可能に設けられ、第１の野縁部材３を第１の野縁側溝部２に沿ってスライド自在に保持する第１の係止部16とを備えて、野縁保持具１の第１の係止部16を第１の野縁縁部12の内面に第１の野縁部材３の長手方向（図中、Ｘ方向）に沿って係合させることで、第１の係止部16と第１の野縁縁部12の内面との接触面積を増大させて、第１の係止部16と第１の野縁縁部12の接触部分にガタが生じる恐れを防止して、野縁保持具１と第１の野縁部材３との係合状態を安定化させることができる。同様に、第２の野縁取付部13は、矩形の板体からなる保持具本体９の対向する一対の第２の縁部17より略平行に立ち上げられ、第２の野縁部材５の第２の溝部４に挿入可能な一対の第２の立ち上げ部18と、第２の立ち上げ部18の先端を外側に折り曲げて、第２の野縁部材５の第２の溝部４の両側縁部としての第２の野縁縁部14の内面に第２の野縁部材５の長手方向（図中、Ｙ方向）に沿って係合可能に設けられ、第２の野縁部材５を第２の野縁側溝部２に沿ってスライド自在に保持する第２の係止部19とを備えて、野縁保持具１の第２の係止部19を第２の野縁縁部14の内面に第２の野縁部材５の長手方向（図中、Ｘ方向）に沿って係合させることで、第２の係止部19と第２の野縁縁部14の内面との接触面積を増大させて、第２の係止部19と第２の野縁縁部14の接触部分にガタが生じる恐れを防止して、野縁保持具１と第２の野縁部材５との係合状態を安定化させることができる。
【００２８】
さらに、本実施例では、吊下げ部材を天井６より垂設されたボルトとしての吊下げボルト７とし、天井接続手段22を吊下げボルト７に螺着可能なナット21としており、吊下げボルト７とナット21により天井６と保持具本体９の接続を行う構造としたことで、保持具本体９はナット21を介して吊下げボルト７に上下動自在に構成されており、第１の野縁部材３や第２の野縁部材５の下面に取り付けられる天井材８の高さを例えばナット21が吊下げボルト７の先端に螺着した最低位置から、上面が天井６に当接する最高位置までの任意の高さに調整可能に構成されている。ナット21を回動動作によって、吊下げボルト７の軸方向におけるナット21の螺着位置を変位させ、野縁保持具１の垂直方向の位置を任意に変更させ、野縁保持具１の垂直方向の位置を均一に揃えることにより、野縁保持具１を水平に保持して、この野縁保持具１の下面部に取り付けられる天井材８を水平に保持することが可能となる。
【００２９】
しかも、本実施例では、保持具本体９の角は、切り欠き部23が形成されているので、その箇所に指を差込むなどして保持具本体９を簡単に第１の野縁部材３、第２の野縁部材５に取り付けすることができる。
【実施例２】
【００３０】
以下に、他の実施例について説明する。尚、前記実施例１と同一部分には同一符号を付し、その詳細な説明を省略する。
【００３１】
図４は実施例２を示しており、前記実施例１と同一部分には同一符号を付し、その詳細な説明を省略する。実施例２では、上端を天井６に接続する吊下げ部材をワイヤー24によって形成したもので、その下端に設けた雄螺子部材25をナット21に螺着することで、野縁保持具１を介して第２の野縁部材５を天井６より吊下げているものである。
【００３２】
このように、吊下げ部材を可撓性なワイヤー24によって形成することで、例えば天井６が揺れたとしても、ワイヤー24によってその揺れを和らげることができる。また、ワイヤー24は可撓性であるため、取り付け作業性も向上することができる。
【実施例３】
【００３３】
図５〜８は実施例３を示しており、本実施例の野縁保持具１´では、第１の野縁取付部11、第２の野縁取付部13を有する保持具本体９の略中央部分には、保持具本体９の上面と下面とを連通する本体側貫通部20を備えるとともに、吊下げボルト７に螺着可能な接続手段であって雌ねじ部材としてのナット21´を本体側貫通部20と連通させた状態で保持具本体９に固定して天井接続手段22´を構成している。この天井接続手段22´におけるナット21´は保持具本体９の下面に固着されており、本体側貫通部20の下方にナット21´の貫通孔が連通するように設けられている。そして、吊下げボルト７とナット21´を螺着することで、保持具本体９を天井６に吊下げ可能に構成している。
【００３４】
さらに、平面がほぼ矩形の保持具本体９にあっては、その四隅の直角の角部は切り欠き部23が形成されている。
【００３５】
次に、上記構成についてその作用を説明する。野縁保持具１の第１の立ち上げ部15を第１の野縁部材３の第１の溝部２に挿入して、第１の係止部16を第１の野縁縁部12の内面に第１の野縁部材３の長手方向（図中、Ｘ方向）に沿って係合させて、第１の野縁部材３を第１の野縁側溝部２に沿ってスライド自在に保持する。そして、このように組み立てられた第１の野縁部材３の下面部には天井６パネルなどの天井材８が取り付けられる。
【００３６】
第２の幅Ｈ２が狭い第２の野縁部材５を利用するときも、同様に、野縁保持具１の第２の立ち上げ部18を第２の野縁部材５の第２の溝部４に挿入して、第２の係止部19を第２の野縁縁部14の内面に第２の野縁部材５の長手方向（図中、Ｙ方向）に沿って係合させて、第２の野縁部材５を第２の野縁側溝部２に沿ってスライド自在に保持する。そして、このように組み立てられた第２の野縁部材５の下面部には天井６パネルなどの天井材８が取り付けられる。
【００３７】
次に、前述の通りに組み立てられた野縁保持具１は、ナット21を天井６から垂設された吊下げボルト７に装着することによって天井６に接続される。この際、例えば図７に示すように消火用ノズル26を下端に装着した給水パイプ27あるいはそれに類する部材を支持するための細長な棒状部材28が保持具本体９の上面に載置するか、その上面よりやや上方に配置されている。そして、棒状部材28は吊下げボルト７に接触するか近接している。
【００３８】
また、図８に示すように、ワイヤーなどの剛性を有する線状部材29により保持具本体９と棒状部材28を一体的に接続するようにしてもよい。実施例では、線状部材29のリング状をなした先端29Ａを棒状部材28に巻き付けると共に、その中を中間部29Ｂを挿通させて、該先端29Ａ側を棒状部材28に撓み状態で連結する。一方線状部材29の基端側29Ｃには雄螺子部材30の端面に連結されており、そして、雄螺子部材30をナット21´に螺着させている。
【００３９】
したがって、図８においては、例えば野縁保持具（図示せず）を介して一体的に接続している野縁部材５と棒状部材28とが振動などにより離れたとしても、線状部材29によって野縁部材５は線状部材29に支持される吊り下げ状態となるので、落下することはない。
【００４０】
以上のように本実施例は、吊下げボルト７の下端が接続可能なナット21´は保持具本体９の下面側に設けられていることにより、棒状部材28が保持具本体９の上面に載置したり、或いは上面より近接して上方に配置することができ、野縁保持具１´や棒状部材28、ひいては消火用ノズル26を下端に装着した給水パイプ27あるいはそれに類する部材を自由に配置することができる。
【実施例４】
【００４１】
図９は実施例４を示しており、実施例４ではナット21´に螺着する雄螺子部材25´の上端面にワイヤーなどの線状部材24´を接続しており、線状部材24´の上端が天井６に接続している。
【産業上の利用可能性】
【００４２】
以上のように本発明に係る野縁保持具は、各種の用途に適用できる。
【符号の説明】
【００４３】
１  １´  野縁保持具
２  第１の溝部
３  第１の野縁部材
４  第２の溝部
５  第２の野縁部材
６  天井
７  吊下げボルト（吊下げ部材）
９  保持具本体
10  第１の縁部
11  第１の野縁取付部
12  第１の野縁縁部
13  第２の野縁取付部
14  第２の野縁縁部
15  第１の立ち上げ部
16  第１の係止部
17  第２の縁部
18  第２の立ち上げ部
19  第２の係止部
22  22´  天井接続手段
Ｘ  Ｙ  方向
Ｗ１  一方の幅
Ｗ２  他方の幅
【図１】
0005754302.tif 000002
【図２】
0005754302.tif 000003
【図３】
0005754302.tif 000004
【図４】
0005754302.tif 000005
【図５】
0005754302.tif 000006
【図６】
0005754302.tif 000007
【図７】
0005754302.tif 000008
【図８】
0005754302.tif 000009
【図９】
0005754302.tif 000010